(57)【要約】      （修正有）【課題】薄肉のプラスチック製容器におけるコーナー部及び平面縁部を強化して係合力が強く容器の歪や型崩れがなく、係合と分離のし易いプラスチック製容器を提供する。【解決手段】薄肉プラスチック製容器において、容器本体のコーナー部として周縁平面部から下向きに曲げられ且つ下端縁にエッジ６を有するＬ型縁を設け、蓋体のコーナー部として周縁の平面縁部から一段下降して連設され、内側へ深く凹んだＬ型のアンダーカット部１０を有するＬ型平面縁部を設け、このＬ型平面縁部が前記本体のＬ型縁の全体を覆うと同時に本体のエッジ６が蓋体のアンダーカット部１０にある周縁溝１０ａに係合着されるよう本体に蓋体を合体させたプラスチック製容器の閉蓋装置。【選択図】図８
2004217297.tif 000002
【特許請求の範囲】
【請求項１】
薄肉プラスチック製容器において、容器本体のコーナー部として周縁平面部から下向きに曲げられ且つ下端縁にエッジを有するＬ型縁を設け、
蓋体のコーナー部として周縁の平面縁部から一段下降して連設され、内側へ深く凹んだＬ型のアンダーカット部を有するＬ型平面縁部を設け、
このＬ型平面縁部が前記本体のＬ型縁の全体を覆うと同時に本体のエッジが蓋体のアンダーカット部にある周縁溝に係合着されるよう本体に蓋体を合体させたことを特徴とするプラスチック製容器の閉蓋装置。
【請求項２】
容器本体に周縁平面部（  ａ  ）から下向きに曲げられ、下端縁から横に張り出した平面縁部（  ｂ  ）と前部平面縁部（  ｃ  ）を形成し、蓋体に平面縁部（  ｄ  ）とこれに連設するＬ型平面縁部（  ｅ  ）及び前部平面縁部（  ｆ  ）を形成し、この前部平面縁部（  ｆ  ）の端部とＬ型平面縁部（  ｅ  ）との間にカット部を形成し、
平面縁部（  ｂ  ）と（  ｄ  ）及び前部平面縁部（  ｃ  ）と（  ｆ  ）とが対応するよう本体に蓋体を合体させた請求項１記載のプラスチック製容器の閉蓋装置。
【請求項３】
本体のコーナー部においてＬ型縁のエッジと蓋体のＬ型平面縁部（  ｅ  ）にあるアンダーカット部の周縁溝とが係合し、本体の平面縁部（  ｂ  ）と前部平面縁部（  ｃ  ）に対応する蓋体の平面縁部（  ｄ  ）と前部平面縁部（  ｆ）とを合体させ、前記蓋体のカット部から本体の前部平面縁部（  ｃ  ）の端縁が現れると共に蓋体のＬ型平面縁部（  ｅ  ）が本体のコーナー部全体を覆うようにした請求項１記載のプラスチック製容器の閉蓋装置。
【請求項４】
容器本体周縁の前部平面縁部（  ｃ  ）の端部及び蓋体コーナー部のＬ型平面縁部（  ｅ  ）端に補強用の凹凸部を形成した請求項１、２又は３記載のプラスチック製容器の閉蓋装置。
【請求項５】
容器本体と蓋体が周縁平面部（  ａ  ）の一辺で連設されているか、それぞれが分離独立して合体可能に設けられている請求項１、２、３又は４記載のプラスチック製容器の閉蓋装置。
【発明の詳細な説明】
【０００１】
【発明の属する技術分野】
本発明は野菜や菓子、卵その他比較的軽い品物をパック製品として包装する薄肉のプラスチック製容器の閉蓋装置に関する。
【０００２】
【従来の技術】
従来用いられていた薄肉のプラスチック製容器では、パック製品として蓋を閉じるため容器本体と蓋体とが係合する平面縁部同志をセロハンテープやホッチキスの金属止定片で固定するか、パック毎ゴム輪やバンドで締付ける方法が採られていた。
【０００３】
【発明が解決しようとする課題】
プラスチック製容器が薄肉である場合、硬さや剛性がないので係合力が弱く凹凸嵌合部が保持し難い。従って容器本体と蓋体との平面縁部に凹凸嵌合部を形成して嵌め込み固定する手段が採用できない。また複雑な凹凸形状にするとプラスチックの破損の危険性がある。
【０００４】
本発明の目的は上記のような難点を解消したもので、薄肉のプラスチック製容器において、容器本体と蓋体との周縁コーナー部にＬ型縁とＬ型平面縁部とを設け、アンダーカット部の周縁溝に前記本体のエッジが係合着され、周縁に平面縁部を形成して容器を補強して本体に蓋体を合体して両者の係合力を強化することのできるプラスチック製容器の閉蓋装置を提供することである。
【０００５】
【課題を解決するための手段】
上記目的を達成するため、第１発明では薄肉プラスチック製容器において、容器本体のコーナー部として周縁平面部から下向きに曲げられ且つ下端縁にエッジを有するＬ型縁を設け、蓋体のコーナー部として周縁の平面縁部から一段下降して連設され、内側へ深く凹んだＬ型のアンダーカット部を有するＬ型平面縁部を設け、このＬ型平面縁部が前記本体のＬ型縁の全体を覆うと同時に本体のエッジが蓋体のアンダーカット部にある周縁溝に係合着されるよう本体に蓋体を合体させたプラスチック製容器の閉蓋装置とした。
【０００６】
第２発明では容器本体に周縁平面部（  ａ  ）から下向きに曲げられ、下端縁から横に張り出した平面縁部（  ｂ  ）と前部平面縁部（  ｃ  ）を形成し、蓋体に平面縁部（  ｄ  ）とこれに連設するＬ型平面縁部（  ｅ  ）及び前部平面縁部（  ｆ  ）を形成し、この前部平面縁部（  ｆ  ）の端部とＬ型平面縁部（  ｅ  ）との間にカット部を形成し、平面縁部（  ｂ  ）と（  ｄ  ）及び前部平面縁部（  ｃ  ）と（  ｆ  ）とが対応するよう本体に蓋体を合体させたプラスチック製容器の閉蓋装置とした。
【０００７】
第３発明では本体のコーナー部においてＬ型縁のエッジと蓋体のＬ型平面縁部（  ｅ  ）にあるアンダーカット部の周縁溝とが係合し、本体の平面縁部（  ｂ  ）と前部平面縁部（  ｃ  ）に対応する蓋体の平面縁部（  ｄ  ）と前部平面縁部（  ｆ  ）とを合体させ、前記蓋体のカット部から本体の前部平面縁部（  ｃ  ）の端縁が現れると共に蓋体のＬ型平面縁部（  ｅ  ）が本体のコーナー部全体を覆うようにしたプラスチック製容器の閉蓋装置とした。
【０００８】
第４発明では容器本体周縁の前部平面縁部（  ｃ  ）の端部及び蓋体コーナー部のＬ型平面縁部（  ｅ  ）端に補強用の凹凸部を形成したプラスチック製容器の閉蓋装置とした。
【０００９】
第５発明では容器本体と蓋体が周縁平面部（  ａ  ）の一辺で連設されているか、それぞれが分離独立して合体可能に設けられているプラスチック製容器の閉蓋装置とした。
【００１０】
【作用】
第１発明では互いに係合する容器本体と蓋体とのコーナー部において、本体にはＬ型縁を備え、蓋体にはＬ型平面縁部を備え、本体のエッジが蓋体の内側へ深く凹んだアンダーカット部の周縁溝に係合着されることにより、薄肉のプラスチック製品であってもコーナー部において十分に係合力を保持できるようになった。
【００１１】
本体のコーナー部では、周縁平面部から下向きに曲げられ且つ下端縁にエッジを形成されたＬ型縁とし、平面縁部がこの部分でカットされた状態とした。
【００１２】
一方、蓋体のコーナー部では前記Ｌ型縁の全体を覆うと共に内側へ深く凹んだアンダーカット部が設けられ、前記エッジがこのアンダーカット部の周縁溝に係合着される。従ってＬ型のコーナー部では、エッジが周縁溝に係合しているので、たとえ容器に包装された内容物が多くて蓋体が膨れ上がるような状態になってもコーナー部の係合は離れることがなく安定した固定が可能となった。
【００１３】
従って、エッジとアンダーカット部の周縁溝との結合およびＬ型縁の全体を覆うＬ型平面縁部とにより容器全体が補強され、本体と蓋体の係合力が強化されるようになった。
【００１４】
第２発明では容器本体の周縁平面部（  ａ  ）から下向きに曲げられ、下端縁から横に張り出した平面縁部（  ｂ  ）と前部平面縁部（  ｃ  ）とを形成することにより、周縁平面部（  ａ  ）と共に横に張り出した平面縁部が容器本体を補強して薄肉のプラスチック製容器でも型崩れがないようになった。
【００１５】
蓋体には平面縁部（  ｄ  ）とこれに連設するＬ型平面縁部（  ｅ  ）及び前部平面縁部（  ｆ  ）を形成することにより、前部平面縁部（  ｆ  ）とＬ型平面縁部（  ｅ  ）との間にカット部があっても容器に歪の生じない蓋体となった。またこのカット部から本体の前部平面縁部（  ｃ  ）の端部が現れるようにしたので、蓋を開ける場合この端部と蓋体のＬ型平面縁部（  ｅ  ）の角部を指で挟んで本体から蓋体を離し易くなっている。
【００１６】
第３発明では容器本体に蓋体が係合する構造として、本体のコーナー部においてＬ型縁のエッジと蓋体のＬ型平面縁部（  ｅ  ）にあるアンダーカット部の周縁溝とが係合することによりコーナー部が強力に係合して蓋体の保持が確実となり、さらに本体の平面縁部（  ｂ  ）と前部平面縁部（  ｃ  ）に対応する蓋体の平面縁部（  ｄ  ）と前部平面縁部（  ｆ  ）とが合体されているので、本体及び蓋体はコーナー部と平面縁部の両者により補強され型崩れや歪が生じないようになった。
【００１７】
蓋体の前部平面縁部（  ｆ  ）とＬ型平面縁部（  ｅ  ）との間に設けたカット部から本体の平面縁部（  ｃ  ）の端縁が現れると共に蓋体のＬ型平面縁部（  ｅ  ）が段違いになるようにしたので本体のＬ型縁がＬ型平面縁部（  ｅ  ）にすっぽり覆われ、前部平面縁部（  ｆ  ）とＬ型平面縁部（  ｅ  ）の端部を指でもって上下方向に引離すのに便宜であり、容易に蓋体が本体から分離できるようになっている。
【００１８】
第４発明では容器本体周縁の前部平面縁部（  ｃ  ）の端部及び蓋体コーナー部のＬ型平面縁部（  ｅ  ）端に補強用の凹凸部を形成することにより、両者を指でつまみ易く、つまんで上下に引離し易くなっており、この部分の補強ともなっている。
【００１９】
第５発明では容器本体と蓋体が周縁平面部（  ａ  ）の一辺で連設されているか、それぞれが分離独立して形成されることにより、本体と蓋体とが一体型のもの又は分離されているものの両方に利用することができる。
【００２０】
【発明の実施の形態】
本発明はおよそ０．２５ｍｍ以下の薄肉のプラスチック製容器であって材料強度がほとんどない程に薄い容器に適用することができ、軽量で蓋体を本体へ係合し易く係合力が強く、また分離もし易い閉蓋装置を提供したものである。なお、薄肉であれば厚みの数値は限定しない。
【００２１】
このような薄肉のプラスチックの場合、硬質又は厚みのあるプラスチック製容器のように、本体と蓋体の平面縁部に凹凸嵌合部を設けて係合することにより剛性と弾力性により嵌合状態を保持することができないので、従来と異なった構造を新たに開発したものである。
【００２２】
第１に本体のコーナー部でエッジを有するＬ型縁を設け、蓋体にはエッジと係合着するよう内側へ深く凹んだアンダーカット部を設け、アンダーカット部の周縁溝にエッジが確実に係合できる構成として強力な係合力を得た。
【００２３】
第２に本体で容器の周縁平面部から下向きに曲げられ、下端縁から横に張り出す平面縁部を設け、蓋体に前記平面縁部と対応する平面縁部を設けて合体することにより容器を補強した。従ってコーナー部で平面縁部がカットされていても、このカット部をＬ型のエッジとＬ型平面縁部を形成できる空間として利用でき、容器全体の型崩れや歪が生じないよう強度を向上させた。
【００２４】
第３に上記コーナー部の構成により、本体と蓋体のコーナー部における係合力を高めると共に平面縁部を合体させることにより、薄肉プラスチックの補強が相乗的に向上し、強力な係合力をもった閉蓋装置を提供できた。本体のコーナー部に近接した前部平面縁部の端部が、蓋体のカット部から覗けるように設けることにより、該部を利用して本体から蓋体を容易に分離することができるようにした。
【００２５】
以下図面を参照して詳細に説明する。
【００２６】
【実施例】
図１は容器本体の要部平面図であり、１は容器の本体、２は周縁平面部（  ａ  ）である。図面では示していないが、周縁平面部（  ａ  ）の一辺に蓋体を連設して本体と蓋体を一体型とすることができ、また蓋体を独立したものとすることもできる。
【００２７】
３は平面縁部（  ｂ  ）、４は前部平面縁部（  ｃ  ）で、平面縁部３、前部平面縁部４間はカットされている。このカットされた空間はコーナー部として周縁平面部２から下向きに曲げられ且つ下端縁にＬ型のエッジ６を有するＬ型縁が設けられている。エッジ６は外側へ若干曲がって引っ掛かり易い形状となっている。
【００２８】
図２は蓋体の要部平面図で、７は蓋体、８は周縁から下へ曲がって横に張り出した平面縁部（  ｄ  ）である。９はコーナー部として周縁の平面縁部から一段下降して連設されたＬ型平面縁部（  ｅ  ）で、内側へ深く凹んだアンダーカット部１０を有している。アンダーカット部１０の上部には周縁溝１０ａが形成されており、前記エッジ６との係合を強力にしている。
【００２９】
従って、例え容器に包装した内容物が多くて、蓋体を押し上げるような力が生じてもこのコーナー部の係合が強く蓋体がすべって外れることもなく、従来例の場合と比較して強力になった（図１１参照）。
【００３０】
１１は平面縁部８とＬ型平面縁部（  ｅ  ）が連設されている段部である。１２は前部平面縁部（  ｆ  ）で、この前部平面縁部（  ｆ  ）１２とＬ型平面縁部（  ｅ  ）９との間にカット部１３を形成している。
【００３１】
薄肉のプラスチック製容器では、本体１及び蓋体７のそれぞれ側壁部や底面には凹凸の補強面を形成して平面又は箱型の強度を保持するようになっている（図３参照）。
【００３２】
本体に蓋体を被せた時、コーナー部では前記Ｌ型平面縁部（  ｅ  ）９が前記本体のＬ型縁５の全体を覆うと共に内側へ凹んだアンダーカット部１０の周縁溝が前記本体のエッジ６と係合されるようにして係合力が強化された。
【００３３】
本体及び蓋体の平面縁部３と８及び前部平面縁部４と１２はそれぞれ合体し容器全体として型崩れしたり、歪が生じたりしないように強度を高めている。
【００３４】
本発明は通常コーナー部のＬ型縁５とＬ型平面縁部（  ｅ  ）９の係合に加えて平面縁部３と８及び前部平面縁部４と１２とが互いに合体するようにして用いられる。しかし、それぞれが独立して係合力の強化に作用しており、各構造については図示した具体例には限定されない。
【００３５】
１３はカット部であり、前部平面縁部（  ｆ  ）１２とＬ型平面縁部（  ｅ  ）９との間に形成されている。１４、１５は凹凸補強部で、コーナー部を補強している。１６、１７は本体と蓋体との前部に設けた係合部で、前部平面縁部４、１２の角部に形成され、係合し易くなっている。
【００３６】
図４と図５は本体と蓋体の要部を立体的に示した図である。
【００３７】
図６（イ）（ロ）、図７（イ）（ロ）は本体と蓋体のＡ−Ａ線、Ｂ−Ｂ線、Ｃ−Ｃ線及びＤ−Ｄ線による断面図を示し、図８と図９は本体と蓋体の係合状態を示す拡大断面図である。
【００３８】
図１０は本体に蓋体を被せた状態を示す参考図である。図１１は従来例の係合状態を示す参考図である。従来例では、図１１において蓋体１８の係合部２０が本体１９の係合部２１からすべることにより、本体から外れる危険があったが、本発明ではこれが解消された。
【００３９】
【発明の効果】
本発明は薄肉のプラスチック製容器であって材料強度がほとんどない程に薄い容器の周縁にＬ型縁とＬ型平面縁部を設け、周縁に平面縁部を形成して補強すると共にそれぞれを係合し合体して係合力が強化された閉蓋装置を提供することができた。従って容易に本体に蓋体を係合できると共に蓋体の平面縁部のカット部を利用して係合後に本体と蓋体とを簡単に分離することもできるようになった。
【図面の簡単な説明】
【図１】本体の要部平面図
【図２】蓋体の要部平面図
【図３】本体と蓋体の一部側面図
【図４】本体の一部斜視図
【図５】蓋体の一部斜視図
【図６】本体Ａ―Ａ線と蓋体Ｃ−Ｃ線の断面図
【図７】本体Ｂ−Ｂ線と蓋体Ｄ−Ｄ線の断面図
【図８】図７の本体と蓋体との係合状態を示す拡大断面図
【図９】同要部拡大断面図
【図１０】本体に蓋体を被せた状態を示す平面参考図
【図１１】従来例の係合状態を示す参考図
【符号の説明】
１：  容器本体
２：  周縁平面部（  ａ  ）
３：  平面縁部（  ｂ  ）
４：  前部平面縁部（  ｃ  ）
５：  Ｌ型縁
６：  エッジ
７：  蓋体
８：  平面縁部（  ｄ  ）
９：  Ｌ型平面縁部（  ｅ  ）
１０：  アンダーカット部
１０ａ：  周縁溝
１１：  段部
１２：  前部平面縁部（  ｆ  ）
１３：  カット部
１４、１５：  凹凸補強部
【図１】
2004217297.tif 000003
【図２】
2004217297.tif 000004
【図３】
2004217297.tif 000005
【図４】
2004217297.tif 000006
【図５】
2004217297.tif 000007
【図６】
2004217297.tif 000008
【図７】
2004217297.tif 000009
【図８】
2004217297.tif 000010
【図９】
2004217297.tif 000011
【図１０】
2004217297.tif 000012
【図１１】
2004217297.tif 000013